(57)【要約】【課題】できるだけ狭い幅のノック棒に装飾部材を嵌め込みで装着する場合であっても、装着強度を十分に確保することのできるような装着部位の構造を提供する。【解決手段】ノック棒40に設けられるクリップ30は、ノック棒40が外方へ突出したノック突起41と、これに嵌め込まれる装飾部材44と、これらの嵌合部41aを被覆するクリップカバー43とから構成される。装飾部材44には、クリップカバー43から露出する飾り部44aと、縦棒部材44b及び横棒部材44cとからなる固定部44dとから構成される。嵌合部41aには、縦棒部材44bが嵌合する縦溝41bと、横棒部材44cが嵌合する横溝41cとから構成される溝部41dが設けられるとともに、この溝部41dのうち縦溝41bを挟んで対向し、その端部間の幅が該縦溝41bの幅より狭くなっている一対の弾性爪部41eも設けられている。【選択図】図４
2014091238.tif 000002
【特許請求の範囲】
【請求項１】
リフィルを軸筒内に収納し、このリフィルの後方に位置するノック棒の先端方向へのスライドによってそのリフィルの筆記先端が前記軸筒の先端から突出して筆記可能となるとともに、そのノック棒にはクリップが設けられているスライド式筆記具であって、前記クリップは、
前記ノック棒が外方へ突出した部分であるノック突起と、
前記ノック突起に嵌め込まれる装飾部材と、
前記ノック突起における前記装飾部材との嵌合部を被覆するとともにクリップとしての機能を有するクリップカバーと、
を備えるとともに、
前記装飾部材には、
前記クリップカバーから露出する飾り部と、
前記ノック突起の前記嵌合部に嵌め込まれる構造としての固定部と、
が設けられ、
前記ノック突起の外側面に設けられている前記嵌合部は、前記固定部が嵌合する溝部として形成されるとともに、
前記溝部を挟んで対向し、その端部間の幅が該溝部の幅より狭くなっている一対の弾性爪部も設けられていることを特徴とするスライド式筆記具。
【請求項２】
前記固定部は、筆記具の長手方向に沿った縦棒部材と、これに直交する横棒部材と、により構成され、
前記溝部は、前記縦棒部材が嵌合する縦溝と、前記横棒部材が嵌合する横溝と、により構成されるとともに、
前記一対の弾性爪部は、前記縦溝を挟んで対向し、その端部間の幅が該縦溝の幅より狭くなっていることを特徴とする請求項１記載のスライド式筆記具。
【発明の詳細な説明】
【技術分野】
【０００１】
本発明は、リフィルを軸筒内に収納し、このリフィルを先端方向へスライドすることによってそのリフィルの筆記先端が軸筒の先端から突出して筆記可能となるスライド式筆記具であって、このリフィルをスライドさせるためのノック機構にクリップが併設されているものに関する。
【背景技術】
【０００２】
従来、複数本のリフィルを軸筒内に収納する複式筆記具が種々提供されている。そのうち最も一般的なのは、各リフィルの後端にノック棒が接続され、そのノック棒が軸筒側面に設けられたスリットに沿って前後にスライド可能となっている構造のものである。そして、その先端方向へのスライドによってリフィルの筆記先端が軸筒の先端から突出し、カム機構によってその突出位置で係合した状態が維持されて、筆記可能となる。そして、他のリフィルに対応するノック棒を操作するとカム機構による係合状態が解除され、突出していた筆記先端は軸筒内に没入する。
このようなスライド式の複式筆記具としては、下記従来技術に示すようなものが開示されている。
【先行技術文献】
【特許文献】
【０００３】
【特許文献１】特開２０１０−７６２８１号公報
【発明の概要】
【発明が解決しようとする課題】
【０００４】
スライド式の複式筆記具では、複数あるノック棒の一部に、クリップのような部材を装着する場合もある。また、そのクリップとは別部材として形成された装飾用の部材をノック棒に装着することもある。ノック棒にこのような部材を装着する場合には、部材の装着用の部位がノック棒側の孔ないし溝のような陥凹部に挿入され、装着後には外部からは装着用の部位は見えないようになっているものである。
ところで、複式筆記具は複数本のリフィルを内蔵する性質上、単一リフィルの筆記具に比べどうしても軸筒の径が太くならざるを得ない。そのような制約にもかかわらず、デザイン状の要請、あるいは携帯の便を考慮して、複式筆記具においても軸筒の径をできるだけ細くしようとの工夫が日々なされている。そのような状況下では、あらゆる部材のスリム化が図られることになり、ノック棒もその例外ではない。すなわち、ノック棒もできるだけその幅を狭くしようと設計されることになる。このようにできるだけ狭く設計された幅の範囲に装飾用の部材の装着部位を収めようとすると、当然、その装着部位自体の幅もそれに応じて小さくせざるを得ない。しかし、そのような細い幅の装着部位をただ単に孔や溝に挿入するだけでは、装着強度が不足し、抜けやすくなったり、装飾用の表面に出る部位との接合部が折れやすくなったりとの不具合が生ずることになる。ことに、ノック棒の材質がたとえば接着性に難のあるポリアセタール樹脂やポリプロピレン樹脂など接着剤を使用しにくいような場合には、接着に頼らずに嵌め込みのみで装飾用の部材を装着せざるを得ないので、このような不具合がより顕著となる。
【０００５】
上記の問題点に鑑み、本発明は、できるだけ狭い幅のノック棒に装飾部材を嵌め込みで装着する場合であっても、装着強度を十分に確保することのできるような装着部位の構造を提供することを課題とする。
【課題を解決するための手段】
【０００６】
（１）第１の発明
上記の課題に鑑み、本願に係る第１の発明は、リフィルを軸筒20内に収納し、このリフィルの後方に位置するノック棒40の先端方向へのスライドによってそのリフィルの筆記先端が前記軸筒20の先端から突出して筆記可能となるとともに、そのノック棒40にはクリップ30が設けられているスライド式筆記具10であって、前記クリップ30は、
前記ノック棒40が外方へ突出した部分であるノック突起41と、
前記ノック突起41に嵌め込まれる装飾部材44と、
前記ノック突起41における前記装飾部材44との嵌合部41aを被覆するとともにクリップ30としての機能を有するクリップカバー43と、
を備えるとともに、
前記装飾部材44には、
前記クリップカバー43から露出する飾り部44aと、
前記ノック突起41の前記嵌合部41aに嵌め込まれる構造としての固定部44dと、
が設けられ、
前記ノック突起41の外側面に設けられている前記嵌合部41aは、前記固定部44dが嵌合する溝部41dとして形成されるとともに、
前記溝部41dを挟んで対向し、その端部間の幅が該溝部41dの幅より狭くなっている一対の弾性爪部41eも設けられていることを特徴とする。
【０００７】
すなわち、装飾部材44においては固定部44dが、嵌合部41aの溝部41dに嵌め込まれている。よって、溝部41dにより固定部44dが固定されて装飾部材44は溝部41に直交する方向への動きが規制される。
さらに、固定部44dを溝部41dに嵌め込む際には、この固定部44dが、アンダーカットとして形成されている弾性爪部41eを一旦押し拡げるように弾性変形させる。そして溝部41dに嵌合した状態ではこの弾性変形は解除され、弾性爪部41eの端部間が溝部41dの幅より狭い状態に復帰する。すなわち、固定部44dは弾性爪部41eによっても固定されることになり、これにより装飾部材44は外側方向への動きも規制されることになっている。
【０００８】
（２）第２の発明
また、本願の第２の発明に係るスライド式筆記具10は、前記第１の発明の特徴に加え、前記固定部44dは、筆記具の長手方向に沿った縦棒部材44bと、これに直交する横棒部材44cと、により構成され、
前記溝部41dは、前記縦棒部材44bが嵌合する縦溝41bと、前記横棒部材44cが嵌合する横溝41cと、により構成されるとともに、
前記一対の弾性爪部41eは、前記縦溝41bを挟んで対向し、その端部間の幅が該縦溝41bの幅より狭くなっていることを特徴とする。
【０００９】
このように構成することで、装飾部材44においては、縦棒部材44bと横棒部材44cとからなる十字状の固定部44dが、嵌合部41aにおいて縦溝41bと横溝41cとが同じく十字状に組み合わされている溝部41dに嵌め込まれている。よって、縦溝41bにより縦棒部材44bが固定されて装飾部材44は周方向への動きが規制される。同時に、横溝41cにより横棒部材44cが固定されて装飾部材44は前後方向への動きが規制される。
さらに、縦棒部材44bを縦溝41bに嵌め込む際には、この縦棒部材44bが、アンダーカットとして形成されている弾性爪部41eを一旦押し拡げるように弾性変形させる。そして縦溝41bに嵌合した状態ではこの弾性変形は解除され、弾性爪部41eの端部間が縦溝41bの幅より狭い状態に復帰する。すなわち、縦棒部材44bは弾性爪部41eによっても固定されることになり、これにより装飾部材44は外側方向への動きも規制されることになっている。
【発明の効果】
【００１０】
以上の本件発明の構成により、できるだけ狭い幅のノック棒に装飾部材を嵌め込みで装着する場合であっても、装着強度を十分に確保することのできるような装着部位の構造が提供されることとなった。
特に、本願の第１の発明の構成によれば、固定部の幅が狭くても、固定部が溝部に嵌合することで装飾部材は溝部に直交する方向の動きが規制されるのみならず、弾性爪部によって外側方向への動きが規制されることとなった。
さらに、本願の第２の発明の構成によれば、縦棒部材の幅が狭くても、横棒部材及び弾性爪部の構成が相まって、装飾部材は、互いに直交する三方向への動きが規制されることになる。
【００１１】
以上の構成により、本願に係る発明によれば、接着剤を使わずとも、ノック棒と装飾部材との確実な接合を図ることができ、接着剤の適用しにくいポリアセタール樹脂やポリプロピレン樹脂のような材質でこれらの部材を形成することも可能となっている。
【図面の簡単な説明】
【００１２】
【図１】本発明の実施の形態に係るスライド式筆記具を（Ａ）正面図及び（Ｂ）側面図で示す。
【図２】本発明の実施の形態に係るスライド式筆記具で用いられるノック棒を側面図で示す。
【図３】ノック棒に装飾部材が装着される状態を斜視図で示す。
【図４】ノック棒に装飾部材が装着された状態を斜視図で示す。
【発明を実施するための形態】
【００１３】
以下、本発明の１の実施の形態を図面を参照しつつ説明する。
本実施の形態に係るスライド式筆記具10は、図１に示すような外観を呈する。
このスライド式筆記具10の最外部を構成する軸筒20は、後端側を構成する後軸21と、この後軸21の先端側を被覆する中軸23と、この後軸21の先端側に装着される先軸22とで構成されている。この先軸22は、後軸21の先端内側に挿入される図示しない中ネジ管を介してこの中ネジ管の先端に螺着されている。
後軸21の後端には、図１に示すように、天冠25が装着される。また、後軸21の後端側外周には、軸方向に沿ったスライド溝21a（図１（Ｂ）参照）が３本、周方向に等配されている（図１（Ａ）参照）。これらスライド溝21aの各々に対し、ポリアセタール樹脂製のノック棒40が配設されている。ノック棒40の後端からはノック突起41がスライド溝21aから外方へ突出している。そして、正面位置のノック突起41にはクリップカバー43が装着されている。さらにこのクリップカバー43の後端には装飾部材44が嵌め込まれている。そして、これらノック突起41、クリップカバー43及び装飾部材44によりクリップ30が構成されている（図１（Ｂ）参照）。
【００１４】
軸筒20の内部には、図示しないリフィルとして、１本のシャープペンシルユニットと、２本のボールペンリフィルとが収納されている。これにより本実施の形態に係るスライド式筆記具10は複式筆記具となっている。これらリフィルのうち、シャープペンシルユニットはクリップ30を備えたノック棒40に対応し、ボールペンリフィルはその他のノック棒40に対応している。これらリフィルの筆記先端は、クリップ30又はノック突起41の前方へのスライドにより先軸22先端の開口部22aから突出し、筆記可能状態となる。
図２に示すように、ノック棒40の先端には、リフィルの前後移動の際に生じる衝撃を緩衝するための緩衝孔42が設けられている。また、ノック棒40の後端部分には、外方へ突出するノック突起41が設けられていることは上述のとおりであるが、このノック突起41の外周面側には装飾部材44が嵌め込まれる嵌合部41aが形成されている。
【００１５】
この嵌合部41aの外周面には、長手方向に沿った縦溝41bとこれに直交する横溝41cとで十字状の溝部41dが形成されている（図３及び図４参照）。そして、縦溝41bの先端側における両側はさらに外側方に突出し、その端部が互いに接近してその距離は縦溝41bの幅より小さくなっている。この突出した部分を弾性爪部41eと称する。この弾性爪部41eは、ノック棒40をポリアセタール樹脂により射出成形するための金型の構造上アンダーカットとなっている部分であり、その樹脂の材質に起因して側方へ幾分弾性変形可能となっている。
この嵌合部41aに嵌め込まれる装飾部材44もまたポリアセタール樹脂の射出成形により形成されている。この装飾部材44は、図１に示す完成品の状態ではクリップカバー43から露出している飾り部44aと、このクリップカバー43に被覆されることになる固定部44dとで構成される。固定部44dは、図３に示すように、長手方向に沿った棒状の縦棒部材44bと、これに直交する棒状の横棒部材44cとが十字状に組み合わされた形状を呈している。固定部44dのうち、縦棒部材44bは前記縦溝41bに嵌合する部分であり、また、横棒部材44cは前記横溝41cに嵌合する部分である。
【００１６】
装飾部材44をノック突起41の嵌合部41aに嵌め込む際には、まず、縦棒部材44bで弾性爪部41eを弾性変形により押し拡げつつ、縦棒部材44bを縦溝41bに、そして横棒部材44cを横溝41cに嵌合させる。これにより、図４に示すように、固定部44dが縦溝41b及び横溝41cで形成される十字状の溝部41dに嵌合することとなっている。この状態で、縦棒部材44bと縦溝41bとの嵌合により装飾部材44は周方向の移動が規制され、また、横棒部材44cと横溝41cとの嵌合により前後方向の移動が規制されることになる。この際、弾性爪部41eは弾性変形から復帰し、その端部間の距離は元の縦溝41bより狭い間隔に復している。すなわち、装飾部材44の外側方向への移動は、縦棒部材44bがこの弾性爪部41eにより規制されることで規制されることになる。
【００１７】
そして、この図４に示す状態から、クリップカバー43を嵌合部41aを被覆するように装着すれば、図１（Ｂ）に示すように飾り部44aのみが露出したクリップ30となる。
【産業上の利用可能性】
【００１８】
本発明は、クリップを備えた筆記具に利用可能である。
【符号の説明】
【００１９】
10  スライド式筆記具
20  軸筒                  21  後軸                  21a  スライド溝
22  先軸                  22a  開口部                23  中軸
25  天冠
30  クリップ
40  ノック棒              41  ノック突起            41a  嵌合部
41b  縦溝                  41c  横溝                41d  溝部
41e  弾性爪部              42  緩衝孔                43  クリップカバー
44  装飾部材              44a  飾り部                44b  縦棒部材
44c  横棒部材              44d  固定部
【図１】
2014091238.tif 000003
【図２】
2014091238.tif 000004
【図３】
2014091238.tif 000005
【図４】
2014091238.tif 000006